(57)【要約】【課題】データ転送速度の制限が存在する下であっても、受信ダイバーシチを行うことにより、品質がより高い受信信号を得ることを可能にする。【解決手段】少なくとも１本のアンテナを有する受信部を複数有する受信機であって、受信部のそれぞれは、受信した信号を復調し、復調された信号を復号し、復調された信号と基準信号を用いてチャネル品質を測定する。上記受信機は、チャネル品質に基づいて、上記複数の受信部それぞれから出力された復号信号から、再構築した信号を生成する。【選択図】  図1
2014107646.tif 000002
【特許請求の範囲】
【請求項１】
少なくとも１本のアンテナを有する受信部を複数有し、該複数の受信部のそれぞれから出力された信号を用いて、再構築した信号を生成する生成手段を有する受信機であって、
前記受信部のそれぞれは、
受信した信号を復調する復調手段と、
前記復調された信号を復号する復号手段と、
前記復調された信号と基準信号を用いてチャネル品質を算出する算出手段とを有し、
前記生成手段は、前記チャネル品質に基づいて、前記複数の受信部それぞれから出力された復号信号から、前記再構築した信号を生成することを特徴とする受信機。
【請求項２】
前記生成手段は、前記チャネル品質に基づいて、前記複数の復号信号の中から、信号劣化に対する補正量が最も少ない復号信号を選択して、前記再構築した信号を生成することを特徴とする請求項１に記載の受信機。
【請求項３】
前記生成手段は、前記複数の復号信号それぞれを、対応する前記チャネル品質に対応した係数で重み付けして合成と平均化をすることによって、前記再構築した信号を生成することを特徴とする請求項１に記載の受信機。
【請求項４】
前記受信部のそれぞれは、
前記復号信号と前記チャネル品質を含んだサブフレームを構成し、該サブフレームを前記生成手段へ出力することを特徴とする請求項１乃至３のいずれか１項に記載の受信機。
【請求項５】
少なくとも１本のアンテナを有する受信部を複数有し、該複数の受信部のそれぞれから出力された信号を用いて、再構築した信号を生成する生成手段を有する受信機の制御方法であって、
前記受信部のそれぞれは、受信した信号を復調し、前記復調された信号を復号し、前記復調された信号と基準信号を用いてチャネル品質を算出し、
前記生成手段は、前記チャネル品質に基づいて、前記複数の受信部それぞれから出力された復号信号から、前記再構築した信号を生成することを特徴とする受信機の制御方法。
【請求項６】
請求項５に記載された受信機の制御方法の工程をコンピュータに実行させるためのプログラム。
【発明の詳細な説明】
【技術分野】
【０００１】
本発明は、通信装置、通信プログラム、通信システム、及び通信方法に関する。
【背景技術】
【０００２】
無線通信システムにおいて、送信機あるいは受信機の位置の変化、あるいは無線チャネル内での送受信機以外の移動物によって、無線チャネルの変化が起こり、受信機における受信信号の劣化が生じる。この現象はフェージングと呼ばれている。また、近年、非圧縮動画データなどに対する高速なデータ通信の要求が高まり、ミリ波帯の通信システムが注目されている（非特許文献１）が、ミリ波帯においても前述したフェージングの現象は起こる。ミリ波帯の電磁波は、回折性が弱く直進性が顕著という特徴を有し、遮蔽物によって直達波の到来が遮られることで受信信号の劣化が生じる。この現象はフェージングの一種であり、シャドーイングと呼ばれる。
【０００３】
フェージングによる受信信号の劣化を補償するために、受信機のアンテナを複数用いることによって、より信頼性の高い受信信号を得る受信ダイバーシチ技術がある（特許文献１、特許文献２）。受信ダイバーシチの効果をより高めるためには、複数の受信信号が非相関となるように複数のアンテナを十分に離れた位置に配置する必要がある。
【０００４】
ミリ波帯を用いる通信システムにおいては、複数の受信アンテナを十分離れた位置に設置するために、受信機内の要素同士をケーブルで接続する必要がある。その際、高周波領域でのアナログ信号による接続では信号が劣化しやすいため、デジタル信号による接続が望ましい。更に、ケーブルの配線の容易さから差動信号を用いる高速シリアルインターフェイスを用いることが望ましい。
【先行技術文献】
【特許文献】
【０００５】
【特許文献１】特開2006-54675号公報
【特許文献２】特開2007-228248号公報
【非特許文献】
【０００６】
【非特許文献１】IEEE802.15.3c-2009
【発明の概要】
【発明が解決しようとする課題】
【０００７】
前述した高速シリアルインターフェイスは、ケーブルの配線の容易さを重視すると信号線の数が制限され、コスト上の理由からも少ない信号線であることが望まれる。また、用いられる差動信号の一信号あたりのデータ転送速度には、到達距離に応じた制約がある。以上のような理由から、高速シリアルインターフェイスのデータ転送速度は、無線チャネル上でのデータ転送速度に比べて大きく制限される。
【０００８】
また、ミリ波帯を用いる通信システムにおいてもフェージング現象による受信信号の劣化の影響を受けることから、受信ダイバーシチを用いてチャネルの変動を追従しながら受信信号を補正する必要がある。特許文献１、特許文献２等に記載される受信機では、受信ダイバーシチ技術を用いている。しかしながら、アナログ／デジタル変換の後段でかつ、誤り訂正復号化の前段において受信信号を合成しているため、高速シリアルインターフェイスを用いた場合には、データ転送速度が増加してしまう。
【０００９】
本発明は、上記課題に鑑みてなされたものであり、高速シリアルインターフェイスのデータ転送速度の制限が存在する下であっても、受信ダイバーシチを行うことにより、品質がより高い受信信号を得ることを目的とする。
【課題を解決するための手段】
【００１０】
上記目的を達成するため、本発明の一態様による通信装置は、以下の構成を備える。すなわち、少なくとも１本のアンテナを有する受信部を複数有し、該複数の受信部から出力された複数の信号を用いて再構築した信号を生成する生成手段を有する受信機であって、前記受信部のそれぞれは、受信した信号を復調する復調手段と、前記復調された信号を復号する復号手段と、前記復調された信号と基準信号を用いてチャネル品質を算出する算出手段とを有し、前記生成手段は、前記複数の復号信号から、前記チャネル品質に基づいて、前記チャネルの変動を補正する補正量が最も少ない復号信号を選択して、前記再構築した信号を生成することを特徴とする。
【発明の効果】
【００１１】
本発明によれば、データ転送速度の制限が存在する下であっても、受信ダイバーシチを行うことにより、品質がより高い受信信号を得ることが可能となる。
【図面の簡単な説明】
【００１２】
【図１】実施形態による無線通信システムの構成を示す図。
【図２】実施形態によるMACフレームの構成を示す図。
【図３】実施形態によるPHY送信部の構成を示す図。
【図４】実施形態によるPHY受信部の構成を示す図。
【図５】実施形態によるHSSI送信部とHSSI受信部で用いられるサブフレームの構成を示す図。
【図６】実施形態による品質係数計算部で実行されるフローチャート。
【図７】第一実施形態によるMACフレームの合成手順を示したタイミングチャート。
【図８】第一実施形態による受信機内でのメッセージシーケンスチャート。
【図９】第二実施形態によるMACフレームの合成手順を示したタイミングチャート。
【図１０】第二実施形態による受信機内でのメッセージシーケンスチャート。
【発明を実施するための形態】
【００１３】
以下、添付図面を参照して本発明に係る実施の形態を詳細に説明する。ただし、この実施の形態に記載されている構成要素はあくまでも例示であり、本発明の範囲をそれらのみに限定する趣旨のものではない。
【００１４】
（第一実施形態）
本発明の第一実施形態を、図を参照して説明する。図１は、無線システムの構成を示す図である。送信機１００は、少なくともMAC送信部１１１、物理層（PHY）送信部１１２、及び送信アンテナ１１３から構成される。送信アンテナ１１３から放射された無線信号１２０は、受信機の複数のアンテナによって受信される。受信機１３０は、受信系統を複数有し、少なくとも受信アンテナ１４０及び１４１、PHY受信部１５０及び１５１、MAC受信部１８０から構成される。なお、受信アンテナ数は１本に限らず、複数本であっても良い。また、本実施形態では、説明のため、受信系統の数Nは２（N=２）とするが、この数は２以上であればどのような数であっても良い。第一の受信系統であるPHY受信部１５０は、MAC受信部１８０と高速シリアルインターフェイス（HSSI）で接続されている。HSSI送信部１６０は、HSSI受信部１７０とシリアルケーブル１６５で接続されている。同様に、第二の受信系統であるPHY受信部１５１は、MAC受信部１８０とHSSIで接続されており、HSSI送信部１６１は、HSSI受信部１７１とシリアルケーブル１６６で接続されている。
【００１５】
図２は、本実施形態による無線システムの送信機と受信機で用いられるMACフレーム２００の構成を示す図である。MACフレームは、MACヘッダ２１０及びMACペイロード２２０から構成される。MACヘッダ２１０は、ヘッダの実データ部分であるMACヘッダボディ２１１と、その誤りを検出するためのヘッダチェックシーケンス（HCS）２１２から構成される。MACペイロード２２０は、実データ部分であるMACペイロードボディ２２１と、その誤りを検出するためのフレームチェックシーケンス（FCS）２２２から構成される。
【００１６】
図３は、本実施形態による無線システムのPHY送信部１１２の構成を示す図である。符号化部３１０は、MAC送信部１１１からの入力であるMACフレーム２００に対して畳込み符号による誤り訂正符号化を行う。変調部３２０は、符号化された信号に対して直交周波数多重分割（OFDM）変調を行い、その際にパイロット信号挿入部３５０はパイロット信号（基準信号）を挿入する。変調された信号はデジタル／アナログ変換器３３０によってアナログ信号に変換され、さらに、中間周波数（IF）／無線周波数（RF）変換器３４０によって無線周波数帯の信号に変換される。変換された送信信号は、送信アンテナ１１３に出力される。
【００１７】
図４は、本実施形態による無線システムのPHY受信部１５０の構成を示す図である。なお、他のPHY受信部１５１も、同様な構成を有する。RF帯の受信信号は、受信アンテナ１４０からRF／IF変換器４００に入力されて周波数変換が行われた後、アナログ／デジタル変換器４１０によってデジタル信号に変換される。このデジタル信号は、復調部４２０によってOFDM復調されることにより復調信号となる。復調信号は、MACフレーム２００期間内における無線チャネルの変動による信号劣化分が補正される。この補正の補正係数は、パイロット補正部４３０によって生成される。信号劣化文が補正された復調信号は、復号部４４０によって誤り訂正が行われた後、情報データ（復号信号）４６０としてHSSI送信部１６０に出力される。
【００１８】
また、復調部４２０は、復調単位シンボルごとのタイミングをチャネル品質係数（CQW）計算部４５０に通知する。CQW計算部４５０は、パイロット補正部４３０から得られる補正係数を復調シンボル単位（１HSSIサブフレーム）ごとのチャネル品質係数とし、このチャネル品質係数を制御データ４７０としてHSSI送信部１６０に出力する。情報データ４６０及びCQWである制御データ４７０は、HSSI送信部１６０及びHSSI受信部１７０を経由した後、MAC受信部１８０に入力される。
【００１９】
図５は、本実施形態による無線システムのHSSI送信部１６０、１６１とHSSI受信部１７０、１７１で用いられるサブフレーム５００の構成を示す図である。サブフレーム５００のフレーム長は、OFDMシンボル単位長に比例する。サブフレーム５００は、少なくともサブフレームヘッダ（Hdr）５１０、情報データ（data）５２０、制御データ（Ctrl）５３０、情報データ５２０及び制御データ５３０に対する巡回冗長符号（CRC）５５０から構成される。情報データ５２０と制御データ５３０はそれぞれ、図４の情報データ４６０と制御データ４７０に対応する。ヘッダ５１０には、サブフレームごとの情報データ長及び制御データ長が記述され、これらと予め決まっているCRC長の合計がサブフレーム長に到達しない場合にはパディング５４０が挿入される。
【００２０】
図６は、本実施形態による通信システムのCQW計算部４５０の計算フローチャートである。S600において、CQW計算部４５０は、パイロット補正部４３０から補正係数を受け取る。S610において、CQW計算部４５０は、復調単位シンボルごとにチャネル品質係数（CQW）を算出し内部メモリに一時保存する。S620において、CQW計算部は、復調部４２０から復調シンボル期間を示すトリガ信号が入力されたかを判定し、判定結果が偽である場合（S620のNo）には、トリガ信号を待ちS620の判断を繰り返す。判定結果が真である場合（S620のYes）には、S630においてCQWを制御チャネル上に出力する。
【００２１】
図７は、本実施形態による通信システムのMAC受信部１８０がサブフレームを選択してＭＡＣフレームを再構築する手順を示したタイミングチャートである。HSSI受信部１７０は時系列順に図５に示したようなサブフレームをMAC受信部１８０に出力するが、ここでは説明の簡略化のため情報データと制御データのみを抽出して描いている。
【００２２】
HSSI受信部１７０が出力した情報データ７００及び制御データ７１０は、同じサブフレーム内で伝送され、制御データ７１０におけるCQWの値は１である。また、情報データ７２０及び制御データ７３０は同じサブフレーム内で伝送され、CQWの値は５である。同様に、HSSI受信部１７１が出力した情報データ７５０及び制御データ７６０は同じサブフレーム内で伝送され、制御データ７６０におけるCQWの値は３である。また、情報データ７２０及び制御データ７３０は同じサブフレーム内で伝送され、CQWの値は２である。MAC受信部１８０は、受信タイミングが同じとなる情報データ７００と情報データ７５０のうち、より確からしい値を選択するために、CQW７１０とCQW７６０を参照し、より大きなCQWの値をもつデータ７５０を選択する。情報データ７２０及び情報データ７７０についても同様に、CQWを参照して、情報データ７２０を選択することによってＭＡＣフレームを再構築する。
【００２３】
図８は、本実施形態による無線システムの受信機１３０内でのメッセージシーケンスチャートである。S800において、HSSI送信部１６０は、PHY受信部１５０から出力される第一の系統の情報データと制御データ（CQW）を用いてサブフレームを構成する。S810において、HSSI送信部１６０は、HSSI受信部１７０にサブフレームを送信する。S820において、HSSI受信部１７０は、情報データ及び制御データをMAC受信部１８０に出力する。第二の受信系統についても同様に、S801において、HSSI送信部１６１は、HSSI受信部１７１にサブフレームを送信する。S821において、HSSI受信部１７１は、情報データ及び制御データをMAC受信部１８０に出力する。S830において、MAC受信部１８０は、これまでのステップで得られた情報データをCQWの値を元にして、最も信号劣化に対する補正量の少ないものを選択する。以降、S840〜S870のように同様のステップを繰り返すことにより、MAC受信部１８０はMACフレームを再構築することができる。
【００２４】
（第二実施形態）
本発明の第二実施形態を、図を参照して説明する。本実施形態において、無線通信システム構成、送信機および受信機の構成は、第一実施形態と同様である。従って、ここでは異なる部分についてのみ説明する。図９は、本実施形態におけるMAC受信部１８０がサブフレームを合成してMACフレームを再構築する手順を示したタイミングチャートである。図７と同様に、HSSI受信部１７０及びHSSI受信部１７１は、時系列順にサブフレームを受信する。
【００２５】
本実施形態では、第一実施形態のように複数のサブフレームの中からCQWの値を基にして一のサブフレームを選択するのではなく、複数のサブフレームそれぞれに重み付けを施した後、合成することによってMACフレームを再構築する。乗算器７４０は、CQW７１０に基づいた係数を情報データ７００への重みづけ係数として使用する。乗算器７４１も同様に、CQW７６０に基づいた係数を情報データ７５０への重みづけ係数として使用する。加算器７４２は、重みづけがされた情報データを合成して平均化した後に合成サブフレームとしてMACフレーム再構築に使用する。MAC受信部１８０は、その他の情報データ７２０及び情報データ７７０においても同様な手順を繰り返す。なお、本実施形態では、乗算器７４０及び７４５、乗算器７４１及び７４６、加算器７４２及び７４７は説明のため分離して描かれているが、これらは共通化することもできる。
【００２６】
図１０は、本実施形態における受信機１３０内でのメッセージシーケンスチャートである。S1030とS1070以外は、図８に示したものと同様である。S1030及びS1070において、MAC受信部１８０は、図９で示したように、得られた複数の情報データそれぞれを、CQWに基づいた係数で重み付けして合成し、平均化する。以降、同様のステップを繰り返すことにより、MAC受信部１８０はMACフレームを再構築することができる。
【００２７】
このように、本実施形態によれば、データ転送速度の制限が存在する下であっても、受信ダイバーシチを行うことにより、品質の高い受信信号を得ることが可能となり、通信装置間におけるデータ通信の確実性を高めることができる。なお、以上の実施形態においてチャネル品質係数計算部４５０は、チャネル品質係数（CQW）を算出するものとして説明したが、これに限られず、算出する値がチャネル品質を示す値であれば良い。
【００２８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014107646.tif 000003
【図２】
2014107646.tif 000004
【図３】
2014107646.tif 000005
【図４】
2014107646.tif 000006
【図５】
2014107646.tif 000007
【図６】
2014107646.tif 000008
【図７】
2014107646.tif 000009
【図８】
2014107646.tif 000010
【図９】
2014107646.tif 000011
【図１０】
2014107646.tif 000012